(57)【要約】      （修正有）【課題】  目地プレートも目地部の幅寸法よりもわずかに大きいものを用いても目地部が開口するのを防止できる床用目地装置を得るにある。【解決手段】目地部２を平常時には覆う一方の躯体３に一体に設けられた犬走りや花壇あるいは一方の躯体に後端部が取付けられた目地プレート等の目地カバー部材４と、この目地カバー部材の下部位置の他方の躯体に目地部の中央部に位置する先端部が一方の躯体に当接すると水平方向に回動できるように後端部が枢支された複数個のアーム８と、この複数個のアーム８に支持され、該アーム８の後端部を覆う他方の躯体に固定された固定目地カバー１０と、複数個のアームに先端部がそれぞれ取付けられ、該複数個のアームの水平方向の回動によって後端部がスライド移動して複数個のアームの先端部と後端部との間の目地部を覆う複数枚の可動目地カバー１４とで床用目地装置１を構成している。【選択図】  図２
2006028911.tif 000002
【特許請求の範囲】
【請求項１】
目地部を介して設けられた左右の躯体の、該目地部を平常時には覆う一方の躯体に一体に設けられた犬走りや花壇あるいは一方の躯体に後端部が取付けられた目地プレート等の目地カバー部材と、この目地カバー部材の下部位置の他方の躯体に前記目地部の中央部に位置する先端部が一方の躯体に当接すると水平方向に回動できるように後端部が枢支された複数個のアームと、この複数個のアームに支持され、該アームの後端部を覆う前記他方の躯体に固定された固定目地カバーあるいは該アームの後端部を覆いかつ前記他方の躯体にスライド移動可能に支持される端部可動目地カバーと、前記複数個のアームに先端部がそれぞれ取付けられ、該複数個のアームの水平方向の回動によって後端部がスライド移動して複数個のアームの先端部と後端部との間の目地部を覆う複数枚の可動目地カバーとからなることを特徴とする床用目地装置。
【請求項２】
目地部を介して設けられた左右の躯体の、該目地部を平常時には覆う一方の躯体に一体に設けられた犬走りや花壇あるいは一方の躯体に後端部が取付けられた目地プレート等の目地カバー部材と、この目地カバー部材の下部位置の他方の躯体に前記目地部の中央部に位置する先端部が一方の躯体に当接すると水平方向に回動できるように後端部が枢支された複数個のアームと、この複数個のアームに支持され、該アームの後端部を覆う前記他方の躯体に固定された固定目地カバーあるいは該アームの後端部を覆いかつ前記他方の躯体にスライド移動可能に支持される端部可動目地カバーと、前記複数個のアームに先端部がそれぞれ取付けられ、該複数個のアームの水平方向の回動によって後端部がスライド移動して複数個のアームの先端部と後端部との間の目地部を覆う複数枚の可動目地カバーと、前記複数個のアームを常時突出方向あるいは目地部が広くなる場合に突出方向に回動させるアーム回動機構とからなることを特徴とする床用目地装置。
【請求項３】
目地部を介して設けられた左右の躯体の、該目地部を平常時には覆う一方の躯体に一体に設けられた犬走りや花壇あるいは一方の躯体に後端部が取付けられた目地プレート等の目地カバー部材と、この目地カバー部材の下部位置の左右の躯体に目地部が広くなったり、狭くなったりすると水平方向に回動可能に取付けられた複数本の支持バーと、この複数本の支持バーに支持され、該支持バーの他方の躯体側を覆う、前記他方の躯体に固定された固定目地カバーあるいは該アームの後端部を覆いかつ前記他方の躯体にスライド移動可能に支持される端部可動目地カバーと、前記複数本の支持バーに先端部がそれぞれ取付けられ、該複数本の支持バーの回動によって後端部がスライド移動して、複数本の支持バーの中央部寄りの部位から他方の躯体間の目地部を覆う複数枚の可動目地カバーとからなることを特徴とする床用目地装置。
【請求項４】
目地部を介して設けられた左右の躯体の、該目地部を平常時には覆う一方の躯体に一体に設けられた犬走りや花壇あるいは一方の躯体に後端部が取付けられた目地プレート等の目地カバー部材と、この目地カバー部材の下部位置の他方の躯体に先端部が一方の躯体に当接すると水平方向に回動できるように後端部が枢支された複数個のアームと、この複数個のアームに支持され、該アームを覆う前記他方の躯体に固定された固定目地カバーあるいは該アームの後端部を覆いかつ前記他方の躯体にスライド移動可能に支持される端部可動目地カバーと、目地カバー部材の下部位置の左右の躯体に目地部が広くなったり、狭くなったりすると水平方向に回動可能に取付けられた複数本の支持バーと、この複数本の支持バーに先端部がそれぞれ取付けられ、該複数本の支持バーの回動によって後端部が固定目地カバーあるいは端部可動目地カバー上をスライド移動して、複数本の支持バーの中央部寄りの部位から他方の躯体間の目地部を覆う複数枚の可動目地カバーとからなることを特徴とする床用目地装置。
【発明の詳細な説明】
【技術分野】
【０００１】
本発明は目地部を介して設けられた左右の躯体の、該目地部を覆う床用目地装置に関する。
【背景技術】
【０００２】
従来、目地部を介して設けられた左右の躯体の、該目地部を一方の躯体に一体に設けた犬走りや花壇で覆ったり、あるいは一方の躯体に後端部を回動あるいは上下移動可能に取付け、先端部を他方の躯体に形成した凹部内に、該凹部より突出可能に目地プレートを設けて覆っている。
【０００３】
このように目地部を犬走りや花壇で覆った場合、平常時は犬走りや花壇で覆われているため問題は生じないが、地震等で左右の躯体が目地部が広くなるように揺れ動いた場合、目地部が開口して危険になるという欠点があった。
また、目地プレートで目地部を覆う場合、地震で左右の躯体が揺れ動き、目地部が広くなったり、狭くなっても目地プレートが目地部に脱落しないようにするためには、目地部の幅寸法の約２倍の幅寸法の目地プレートを用いなければならず、目地プレートが大きく、設置作業が大変で、コスト高になるという欠点があった。
【特許文献１】特になし
【発明の開示】
【発明が解決しようとする課題】
【０００４】
本発明は以上のような従来の欠点に鑑み、地震等で左右の躯体が揺れ動き、目地部が広くなっても目地部が開口することなく、目地部を重量物でも支持可能に覆うことができるとともに、目地プレートも目地部の幅寸法よりもわずかに大きいものを用いても目地部が開口するのを防止できる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の躯体の、該目地部を平常時には覆う一方の躯体に一体に設けられた犬走りや花壇あるいは一方の躯体に後端部が取付けられた目地プレート等の目地カバー部材と、この目地カバー部材の下部位置の他方の躯体に前記目地部の中央部に位置する先端部が一方の躯体に当接すると水平方向に回動できるように後端部が枢支された複数個のアームと、この複数個のアームに支持され、該アームの後端部を覆う前記他方の躯体に固定された固定目地カバーと、前記複数個のアームに先端部がそれぞれ取付けられ、該複数個のアームの水平方向の回動によって後端部がスライド移動して複数個のアームの先端部と後端部との間の目地部を覆う複数枚の可動目地カバーとで床用目地装置を構成している。
【発明の効果】
【０００７】
以下の説明から明らかなように、本発明にあっては次に列挙する効果が得られる。
【０００８】
（１）該目地部を平常時には覆う一方の躯体に一体に設けられた犬走りや花壇あるいは一方の躯体に後端部が取付けられた目地プレート等の目地カバー部材と、この目地カバー部材の下部位置の他方の躯体に前記目地部の中央部に位置する先端部が一方の躯体に当接すると水平方向に回動できるように後端部が枢支された複数個のアームと、この複数個のアームに支持され、該アームの後端部を覆う前記他方の躯体に固定された固定目地カバーと、前記複数個のアームに先端部がそれぞれ取付けられ、該複数個のアームの水平方向の回動によって後端部がスライド移動して複数個のアームの先端部と後端部との間の目地部を覆う複数枚の可動目地カバーとで構成されているので、地震等によって左右の躯体が揺れ動き、目地部が広くなって犬走りや花壇の先端部の目地プレートの先端部が目地部内に位置しても、該犬走りや花壇の先端部と他方の躯体との間を複数個のアームに支持されている固定目地カバーおよび復数枚の可動目地カバーで、目地部が開口するのを防止することができる。
したがって、安全に使用することができる。
【０００９】
（２）前記（１）によって、固定目地カバーや復数枚の可動目地カバーは目地部のほぼ半分を覆うものでよく、構造が簡単で、安価にできるとともに、大きな荷重が加わっても十分に支持できるようにすることもできる。
【００１０】
（３）前記（１）によって、目地部が狭くなるように左右の躯体が揺れ動いた場合には、複数個のアームが回動して復数枚の可動目地カバーと固定目地カバーとが重なり合い小さな幅寸法となり、その揺れ動きを吸収することができる。
【００１１】
（４）請求項２はアーム回動機構により、複数個のアームを常時突出方向に位置させることができる。
したがって、複数個のアームの回動状態が生じても、アーム回動機構によって常時アームを突出方向に位置させるため、保守、点検をあまり行なわなくても安全に使用することができる。
【００１２】
（５）請求項３、４も前記（１）〜（３）と同様な効果が得られる。
【発明を実施するための最良の形態】
【００１３】
以下、図面に示す本発明を実施するための最良の形態により、本発明を詳細に説明する。
【００１４】
図１ないし図６に示す本発明を実施するための最良の第１の形態において、１は本発明の床用目地装置で、この床用目地装置１は目地部２を介して設けられた左右の躯体３、３の該目地部２を平常時には覆う一方の躯体３に一体に設けられた、一般には犬走りと称される目地カバー部材４と、この目地カバー部材４の下部位置の他方の躯体３に前記目地部２の中央部に位置する先端部が一方の躯体３に当接すると水平方向に回動できるように後端部が枢支ピン５を介して他方の躯体３に複数本のビス６等で固定される取付板７を有する交互に長さの異なる複数個のアーム８、８Ａと、この複数個のアーム８、８Ａに支持され、該アーム８、８Ａの後端部を覆う前記他方の躯体３に複数本のビス９等で固定された固定目地カバー１０と、前記複数個のアーム８、８Ａに先端部がそれぞれ板厚分の高さのスペーサ１１、１２を介して複数個の枢支ピン１３、１３で枢支された、該複数個のアーム８、８Ａの水平方向の回動によって後端部が重なり状態を保ってスライド移動して、複数個のアーム８、８Ａの先端部と後端部との間の目地部を覆う複数枚、本発明を実施するための形態では２枚の可動目地カバー１４、１４と、前記複数個のアーム８、８Ａが左右方向に直線状態とならないように位置させる、該アームの全体あるいは一部に位置する他方の躯体３に取付けられたストッパー片１５、１５、このストッパー片１５、１５に前記アーム８、８Ａが当接するように常時付勢する付勢スプリング１６、１６とからなる、必要に応じて設けられるアーム回動機構１７とで構成されている。
なお、本発明を実施するための形態では交互に長さの異なる複数個のアーム８、８Ａを用いるものについて説明したが、本発明はこれに限らず、同じ長さの複数個のアーム８を用いて、２枚の可動目地カバー１４、１４を交互等で該複数個のアーム８に枢支ピン１３で枢支、すなわち、１個のアーム８には２枚の可動目地カバー１４、１４のいずれかを枢支ピン１３で枢支させても同様な作用効果が得られる。
【００１５】
上記構成の床用目地装置１は、平常時は目地カバー部材４によって左右の躯体３、３間の目地部２は覆われた状態となっている。
地震等で左右の躯体３、３が揺れ動いて目地部２が広くなると、図５に示すように目地カバー部材４の先端部が目地部２内に位置するが、複数個のアーム８に支持された固定目地カバー１０、２枚の可動目地カバー１４、１４によって、アーム８の先端部から後端部が覆われており、目地部２が開口するの防止することができる。
【００１６】
また、目地部２が狭くなるように左右の躯体３、３が揺れ動いた場合には、図６に示すように複数個のアーム８の先端部が一方の躯体３に当接して収納方向に回動するとともに、２枚の可動目地カバー１４、１４は固定目地カバー１０との重なり幅が大きくなるように重なり、他方の躯体３方向へ移動してその揺れ動きを吸収する。
【００１７】
なお、この揺れ動きが停止すると、自動的に複数個のアーム８、８Ａが付勢スプリング１６、１６の付勢力によって、ストッパー片１５、１５に当接するように回動し、該複数個のアーム８、８Ａの先端部と後端部との間を２枚の可動目地カバー１４、１４および固定目地カバー１０で覆った状態を保つ。
［発明を実施するための異なる形態］
【００１８】
次に、図７ないし図２７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図７ないし図９に示す本発明を実施するための第２の形態において、前記本発明を実施するための最良の第１の形態と主に異なる点は、複数個のアーム８の各先端あるいは所定位置の先端にローラ１８を取付けるとともに、一方の躯体３と複数個のアーム８、８Ａの所定位置の先端部寄りの部位との間に引張りスプリング１９を設けたアーム回動機構１７Ａを用いた点で、このように構成した床用目地装置１Ａにしても、前記本発明を実施するための最良の第１の形態と同様な作用効果が得られる。
【００２０】
図１０ないし図１２に示す本発明を実施するための第３の形態において、前記本発明を実施するための最良の第１の形態と主に異なる点は、他方の躯体３の上部寄りの部位に固定された他方のレール２０と、この他方のレール２０と対向する部位の一方の躯体３に固定された一方のレール２１と、この一方のレール２１と前記他方のレール２０とにほぼ４５度の傾斜でスライド移動可能に取付けられた両端部にローラ２２、２２を取付けた複数本の支持バー２３と、この複数本の支持バー２３に支持されるように固定目地カバー１０と２枚の可動目地カバー１４、１４とを、前記本発明を実施するための最良の第１の形態と同様に取付けた点で、このように構成した床用目地装置１Ｂにしても、前記本発明を実施するための最良の第１の形態と同様な作用効果が得られる。
【００２１】
図１３ないし図１５に示す本発明を実施するための第４の形態において、前記本発明を実施するための第３の形態と主に異なる点は、複数本の支持バー２３Ａの他方の躯体３側の端部を、該他方の躯体３に一方の躯体３側が水平方向に回動するように取付け金具２４で回動可能に取付けるとともに、一方の躯体３に平常時は目地部２を覆う花壇としての目地カバー部材４Ａを一体形成した点で、このように構成した床用目地装置１Ｃにしても、前記本発明を実施するための第３の形態と同様な作用効果が得られる。
【００２２】
図１６ないし図１８に示す本発明を実施するための第５の形態において、前記本発明を実施するための最良の第１の形態と主に異なる点は、一方の躯体３に目地プレート支持凹部２５を形成するとともに、他方の躯体３に反目地部側が傾斜面２６のスライド凹部２７を形成し、該スライド凹部２７に先端部が支持され、後端部の底面に固定されたガイドピン２８、２８が前記目地プレート支持凹部２５に形成された支持孔２９、２９に遊びを介して挿入支持される目地プレートとしての目地カバー部材４Ｂを用いた点で、このような目地カバー部材４Ｂを用いて構成した床用目地装置１Ｄにしても、前記本発明を実施するための最良の第１の形態と同様な作用効果が得られるとともに、目地プレートとしての目地カバー部材４Ｂは目地部２の幅寸法よりもわずかに大きいものを用いても、目地部２が開口する不具合を解消できるため、製造や設置作業が容易で、安価にできる。
【００２３】
図１９ないし図２１に示す本発明を実施するための第６の形態において、前記本発明を実施するための最良の第２の形態と主に異なる点は、他方の躯体３の目地部側の上面に形成されたスライド凹部２７Ａと、アーム８、８Ａの間の他方の躯体３に複数本のビス６等で固定された枢支ピン１３を介した先端部が回動可能な該短いアーム８Ａよりも短い複数個のアーム８Ｂと、このアーム８Ｂおよび前記スライド凹部２７Ａに支持される該アーム８Ｂに枢支ピン１３を介して回動可能に取付けられた、アーム８Ｂ全長を覆う端部可動目地カバー１４Ａとを設けた点で、このように構成した床用目地装置１Ｅは、前記端部可動目地カバー１４Ａがスライド凹部２７Ａの上をスライドする分だけ、前記本発明を実施するための第２の形態よりもさらに一方の躯体３、他方の躯体３間の変位が大きい場合にも追随可能である。
なお、本発明を実施するための形態では他方の躯体３と目地カバー部材４との間にスペースがある場合には他方の躯体３の目地部側の上面に形成されたスライド凹部２７Ａを設けることなく設置しても同様な作用効果が得られる。
【００２４】
図２２ないし図２４に示す本発明を実施するための第７の形態において、前記本発明を実施するための最良の第５の形態と主に異なる点は、可動目地カバー１４を支持するために、他方の躯体３の上部寄りの部位に固定された他方のレール２０と、この他方のレール２０と対向する部位の一方の躯体３に固定された一方のレール２１と、この一方のレール２１と前記他方のレール２０とにほぼ４５度の傾斜でスライド移動可能に取付けられた両端部にローラ２２、２２を取付けた複数本の支持バー２３を用いるとともに、前記他方の躯体３に複数本のビス６等で固定された先端部が回動可能なアーム８Ｃの先端部に枢支ピン１３を介して取付けられた該アーム８Ｃ全長を覆うように支持されかつスライド凹部２７にも支持される端部可動目地カバー１４Ａを設けた点で、このように構成した床用目地装置１Ｆは、前記端部可動目地カバー１４Ａがスライド凹部２７Ａの上をスライドする分だけ、前記本発明を実施するための第５の形態よりもさらに一方の躯体３、他方の躯体３間の変位が大きい場合にも追随可能である。
【００２５】
図２５ないし図２７に示す本発明を実施するための第８の形態において、前記本発明を実施するための最良の第５の形態と主に異なる点は、他方の躯体３の目地部側の上面に形成されたスライド凹部２７と、アーム８、８Ａの間の他方の躯体３に複数本のビス６等で固定された枢支ピン１３を介した先端部が回動可能な該短いアーム８Ａよりも短い複数個のアーム８Ｂと、このアーム８Ｂおよび前記スライド凹部２７に支持される該アーム８Ｂに枢支ピン１３を介して回動可能に取付けられた、アーム８Ｂ全長を覆う端部可動目地カバー１４Ａと、アーム８、８Ａ、８Ｂが必要以上に回動するのを防止するために、ストッパーワイヤー３０、３０、３０を用いたアーム回動機構１７Ｂとを設けた点で、このように構成した床用目地装置１Ｇは、前記端部可動目地カバー１４Ａがスライド凹部２７の上をスライドする分だけ、前記本発明を実施するための第５の形態よりもさらに一方の躯体３、他方の躯体３間の変位が大きい場合にも追随可能である。
【産業上の利用可能性】
【００２６】
本発明は床用目地装置を製造する産業で利用される。
【図面の簡単な説明】
【００２７】
【図１】本発明を実施するための最良の第１の形態の平面図。
【図２】図１の２−２線に沿う拡大断面図。
【図３】図２の３−３線に沿う断面図。
【図４】図２の４−４線に沿う断面図。
【図５】本発明を実施するための最良の第１の形態の目地部が広くなった動作説明図。
【図６】本発明を実施するための最良の第１の形態の目地部が狭くなった動作説明図。
【図７】本発明を実施するための第２の形態の平面図。
【図８】図７の８−８線に沿う拡大断面図。
【図９】図８の９−９線に沿う断面図。
【図１０】本発明を実施するための第３の形態の平面図。
【図１１】図１０の１１−１１線に沿う拡大断面図。
【図１２】図１１の１２−１２線に沿う断面図。
【図１３】本発明を実施するための第４の形態の平面図。
【図１４】図１３の１４−１４線に沿う拡大断面図。
【図１５】図１４の１５−１５線に沿う断面図。
【図１６】本発明を実施するための第５の形態の平面図。
【図１７】図１６の１７−１７線に沿う拡大断面図。
【図１８】図１７の１８−１８線に沿う断面図。
【図１９】本発明を実施するための第６の形態の平面図。
【図２０】図１９の２０−２０線に沿う拡大断面図。
【図２１】図２０の２１−２１線に沿う断面図。
【図２２】本発明を実施するための第７の形態の平面図。
【図２３】図２２の２３−２３線に沿う拡大断面図。
【図２４】図２３の２４−２４線に沿う断面図。
【図２５】本発明を実施するための第８の形態の平面図。
【図２６】図２５の２６−２６線に沿う拡大断面図。
【図２７】図２６の２７−２７線に沿う断面図。
【符号の説明】
【００２８】
１、１Ａ、１Ｂ、１Ｃ、１Ｄ、１Ｅ、１Ｆ、１Ｇ：床用目地装置、
２：目地部、                  ３：躯体、
４、４Ａ、４Ｂ、４Ｃ：目地カバー部材、
５：枢支ピン、                ６：ビス、
７：取付板、                  ８、８Ａ、８Ｂ、８Ｃ：アーム、
９：ビス、                    １０：固定目地カバー、
１１、１２：スペーサー、      １３：枢支ピン、
１４：可動目地カバー、        １４Ａ：端部可動目地カバー、
１５：ストッパー片、          １６：付勢スプリング、
１７、１７Ａ、１７Ｂ：アーム回動機構、
１８：ローラ、                １９：引張りスプリング、
２０：他方のレール、          ２１：一方のレール、
２２：ローラ、                ２３、２３Ａ：支持バー、
２４：取付け金具、            ２５：目地プレート支持凹部、
２６：傾斜面、                ２７、２７Ａ：スライド凹部、
２８：ガイドピン、            ２９：支持孔、
３０：ストッパーワイヤー。
【図１】
2006028911.tif 000003
【図２】
2006028911.tif 000004
【図３】
2006028911.tif 000005
【図４】
2006028911.tif 000006
【図５】
2006028911.tif 000007
【図６】
2006028911.tif 000008
【図７】
2006028911.tif 000009
【図８】
2006028911.tif 000010
【図９】
2006028911.tif 000011
【図１０】
2006028911.tif 000012
【図１１】
2006028911.tif 000013
【図１２】
2006028911.tif 000014
【図１３】
2006028911.tif 000015
【図１４】
2006028911.tif 000016
【図１５】
2006028911.tif 000017
【図１６】
2006028911.tif 000018
【図１７】
2006028911.tif 000019
【図１８】
2006028911.tif 000020
【図１９】
2006028911.tif 000021
【図２０】
2006028911.tif 000022
【図２１】
2006028911.tif 000023
【図２２】
2006028911.tif 000024
【図２３】
2006028911.tif 000025
【図２４】
2006028911.tif 000026
【図２５】
2006028911.tif 000027
【図２６】
2006028911.tif 000028
【図２７】
2006028911.tif 000029